(57)【要約】【課題】系統の短絡事故時に遅延開放時間が短くなるのを防いで、系統の保護リレーとの動作の協調を確実に図ることができる配電用自動開閉器の操作装置を提供する。【解決手段】投入コイルＣＣと保持コイルＨＣが直列に接続された開閉器の駆動コイルと操作電圧入力端子ｕ１，ｕ２との間をオンオフする高速遮断用スイッチＳＷ11、ＳＷ12と、操作電圧入力端子間に接続された遅延開放用ダイオードＤｄと、操作電圧Ｖoが消滅したとき及び高速遮断用スイッチがオフ状態にされたときに一定時間の間常開スイッチＲy1aを閉じるタイマリレーＴＲと、電磁石の駆動電流が遮断されたときに駆動コイルに誘起する電圧により駆動されて常閉スイッチＲy2bをオフ状態にする保持コイル開放リレーＲy2とを設けて、タイマリレーの常開接点と保持コイル開放リレーの常閉接点との直列回路を保持コイルの両端に並列に接続した。【選択図】    図１
2015170429.tif 000002
【特許請求の範囲】
【請求項１】
投入コイルと該投入コイルに対して直列に接続された保持コイルとにより駆動コイルが構成された電磁石によって駆動される配電用自動開閉器を操作する操作装置であって、
操作電圧が入力される一対の操作電圧入力端子と、
前記電磁石の駆動コイルと前記操作電圧入力端子との間に設けられて、前記開閉器を高速遮断させる際にオフ状態にされて前記操作電圧が前記駆動コイルに印加されるのを阻止する常閉型の高速遮断用スイッチと、
前記保持コイルに対して並列に接続されて前記開閉器が開路しているときにオン状態を保持し、前記開閉器の投入が完了した後にオフ状態になる保持コイル短絡スイッチと、
前記操作電圧により逆バイアスされる向きに向け、かつ前記高速遮断用スイッチよりも前記操作電圧入力端子側に位置させて、前記操作電圧入力端子間に接続された遅延開放用ダイオードと、
常開スイッチを有して、前記操作電圧入力端子に与えられていた操作電圧が消滅したとき及び前記操作電圧が与えられている状態で前記高速遮断用スイッチがオフ状態にされたときに前記常開スイッチを一定時間の間オン状態にするタイマリレーと、
前記タイマリレーの常開スイッチに対して直列に接続された常閉スイッチを有して、前記駆動コイルを流れていた駆動電流が遮断されたときに該駆動コイルに誘起する電圧により駆動されて前記常閉スイッチをオフ状態にする保持コイル開放リレーと、
を具備し、
前記タイマリレーの常開スイッチと保持コイル開放リレーの常閉スイッチとの直列回路が前記保持コイルに対して並列に接続されていることを特徴とする配電用自動開閉器の操作装置。
【請求項２】
前記タイマリレーは、前記高速遮断用スイッチを通して与えられる前記操作電圧により放電阻止用ダイオードと限流素子とを通して充電されるように設けられたタイマコンデンサと、前記操作電圧が与えられなくなったときに前記タイマコンデンサの放電電流により励磁されて前記常開スイッチをオン状態にするリレーコイルとを備えていること、
を特徴とする請求項１に記載の配電用自動開閉器の操作装置。
【請求項３】
投入コイルと該投入コイルに対して直列に接続された保持コイルとにより駆動コイルが構成された電磁石により駆動される配電用自動開閉器を操作する操作装置であって、
配電線から取り出した交流電圧を整流して得た操作電圧が入力されるプラス側及びマイナス側の操作電圧入力端子と、
前記電磁石の駆動コイルの一端と前記プラス側の操作電圧入力端子との間及び前記電磁石の駆動コイルの他端と前記マイナス側の操作電圧入力端子との間にそれぞれ挿入されて前記開閉器を高速遮断させる際にオフ状態にされて前記操作電圧が前記駆動コイルに印加されるのを阻止する常閉型のプラス側及びマイナス側の高速遮断用スイッチと、
前記保持コイルに対して並列に接続されて前記開閉器が開路しているときにオン状態を保持し、前記開閉器の投入が完了した後にオフ状態になる保持コイル短絡スイッチと、
前記操作電圧が逆方向に印加される向きに向け、かつ前記高速遮断用スイッチよりも前記操作電圧入力端子側に位置させて、前記両操作電圧入力端子間に接続された遅延開放用ダイオードと、
前記駆動コイルの一端に、アノードを該駆動コイルの一端側に向けた放電阻止用ダイオードと限流素子とを通して一端が接続され、他端が前記駆動コイルの他端に接続されたタイマコンデンサと、前記駆動コイルの一端と前記タイマコンデンサの一端との間に接続されて前記タイマコンデンサに前記操作電圧が印加されなくなったときに流れる前記タイマコンデンサの放電電流により励磁される第１のリレーコイルと、該第１のリレーコイルが励磁されているときにオン状態になる常開スイッチとを有するタイマリレーと、
前記電磁石の駆動コイルの他端側にアノードを向けた逆流阻止ダイオードを通して前記駆動コイルの両端に並列に接続された第２のリレーコイルと、該第２のリレーコイルが励磁されているときにオフ状態になる常閉スイッチとを有して前記常閉スイッチが前記タイマリレーの常開スイッチに対して直列に接続された保持コイル開放リレーと、
を具備し、
前記タイマリレーの常開スイッチと保持コイル開放リレーの常閉スイッチの直列回路が前記保持コイルに対して並列に接続されていること、
を特徴とする配電用自動開閉器の操作装置。
【発明の詳細な説明】
【技術分野】
【０００１】
本発明は配電線の区分点や分岐点に挿入される配電用自動開閉器を操作する操作装置に関するものである。
【背景技術】
【０００２】
特許文献１や特許文献２に示されているように、配電線の区分点や分岐点に挿入される開閉器として、電磁石を駆動源とした電磁操作機構により操作されて投入動作及び投入保持動作（投入状態を保持する動作）と開路動作とを行う自動開閉器が用いられている。この種の開閉器は、真空開閉器等からなっていて配電線に対して直列に接続される主スイッチと、該主スイッチを操作する操作機構とをケース内に収容することにより構成した開閉器本体と、電力会社の営業所等に設けられた親局との間で通信を行う機能を有する子局とを備えていて、子局内及び開閉器本体内に構成要素が設けられた操作装置により開閉操作される。
【０００３】
一般に、配電用自動開閉器の操作装置は、配電線からトランスを通して取り出した交流電圧を整流し、波形整形して矩形波状の操作電圧を発生させる制御電源部と、操作電圧を入力として開閉器の電磁操作機構を制御する開閉器制御部とを備えていて、自動開閉器の設置点の電源側及び負荷側の系統電圧の有無や、親局から与えられる遮断指令等に応じて、電磁操作機構を制御することにより、開閉器の開閉操作（主スイッチの開閉操作）を行うように構成されている。
【０００４】
電磁石により駆動される配電用自動開閉器においては、投入する際に大きな電磁力を必要とするが、投入が完了した後、その投入状態を保持する際には、投入時より電磁力を弱めても支障を来さない。そのため、この種の自動開閉器では、特許文献１に示されているように、電磁石の駆動コイルを、インピーダンスが小さい投入コイルと、該投入コイルよりも大きなインピーダンスを有して投入コイルに対して直列に接続された保持コイルとにより構成して、開閉器を投入する際には操作電圧を投入コイルのみに印加して該投入コイルに十分大きな投入電流を流し、開閉器の投入動作が完了した後は、操作電圧を投入コイルと保持コイルとの直列回路の両端に印加して、両コイルに制限された保持電流を流すことにより、主スイッチを投入状態に保持するようにしている。
【０００５】
一般に配電用自動開閉器は、地絡電流を遮断することはできるが、短絡電流を遮断することはできない仕様になっている。そのため、この種の開閉器においては、短絡事故発生時に系統電圧が喪失して操作電圧が喪失したときに、直ちに開路動作を行わせるのではなく、操作電圧が喪失した後、一定の遅れ時間が経過した後に（系統の保護リレーが働いて変電所が遮断器を開いた後に）開路動作を行わせるようにしておく必要がある。本明細書では、このように、操作電圧が喪失した後、一定の遅れ時間が経過した後に開閉器を開路させる動作を、「遅延開放動作」と呼ぶ。
【０００６】
また、電力会社は、地絡事故発生時に停電する区間を極力少なくするために、変電所の遮断器を遮断する前に、親局から、系統の事故点を含む区間の両端に設置された自動開閉器の子局に遮断指令を与えて、該自動開閉器を直ちに開路させることがある。
【０００７】
更に、特許文献２に示されているように、零相電圧及び零相電流を検出する検出部と、この検出部の出力から系統で地絡事故が発生しているか否かを判定する地絡判定部とを自動開閉器内に設けて、自動開閉器内の地絡判定部が系統で地絡事故が発生していると判定したときに、操作装置に遮断指令を与えて、開閉器を直ちに開路させることも知られている。本明細書では、このように、遮断指令が与えられたときに、開閉器を直ちに開路させる動作を，「高速遮断動作」と呼ぶ。
【０００８】
配電用自動開閉器に汎用性を持たせるためには、遅延開放動作を行う機能と、高速遮断動作を行う機能との双方の機能を持たせておくことが好ましい。
【０００９】
特許文献１に示された自動開閉器の操作装置においては、操作電圧が入力されるプラス側及びマイナス側の操作電圧入力端子が設けられて、互いに直列に接続された投入コイル及び保持コイルの共通接続点とマイナス側の操作電圧入力端子との間に第１のリレーの常開接点が接続されるとともに、保持コイルの投入コイルと反対側の端子がマイナス側の操作電圧入力端子に接続されている。またプラス側操作電圧入力端子と投入コイルの保持コイルと反対側の端子との間に第２のリレーの常開接点が接続され、プラス側操作電圧入力端子と投入コイル及び保持コイルの共通接続点との間に、遅延開放動作を可能にするためのダイオード（遅延開放用ダイオード）が、そのアノードを、投入コイル及び保持コイルの共通接続点側に向けて接続されている。
【００１０】
特許文献１に示された自動開閉器の操作装置においては、開閉器を投入する際に第１のリレーと第２のリレーとを同時に励磁することにより、第１のリレーの常開接点と第２のリレーの常開接点とを同時にオン状態にして、保持コイルを第１のリレーの接点を通して短絡すると同時に、操作電圧を投入コイルに印加した状態にする。これにより、投入コイルに大きな駆動電流を流して開閉器を投入する。次いで投入動作が完了した後に第１のリレーを消勢してその接点を開くことにより、保持コイルの短絡を解除して、操作電圧を投入コイルと保持コイルの直列回路の両端に印加した状態にし、両コイルを通して制限された電流を流して、主スイッチを投入された状態に保持する。
【００１１】
また系統で短絡事故が発生して系統電圧が喪失したときには、第１のリレーを消勢してその接点を開き、投入コイルと第２のリレーの接点と遅延開放用ダイオードとにより構成される閉回路に電流を流して、時間の経過に伴って減衰していく電流を投入コイルに流すことにより、自動開閉器の開路を遅延させる。
【００１２】
特許文献１には明記されていないが、特許文献１に示されたように操作装置を構成した場合には、開閉器を高速遮断することが必要なときに第１のリレー及び第２のリレーの双方を消勢させて両リレーの接点を同時に開くことにより、投入コイル及び保持コイルを操作電圧入力端子から切り離すとともに、遅延開放用ダイオードを投入コイルから切り離して、開閉器を高速遮断させることができる。
【００１３】
また特許文献２には、系統電圧が喪失したときに開閉器を遅延開放させる状態と、遮断指令が与えられたときに開閉器を高速遮断させる状態とを適宜に切り換えることができるようにした自動開閉器の操作装置が開示されている。特許文献２に示された操作装置は、投入コイルと保持コイルとの直列回路と、投入時に保持コイルを短絡するスイッチとを有して、開閉器の投入及び保持動作と高速遮断動作とを行わせる操作回路と、該操作回路に接続された際に開閉器を遅延開放させることを可能にする遅延開放回路と、遅延開放回路を操作回路に接続したり、操作回路から切り離したりする常開接点を有する第１の動作特性切換リレーと、操作電圧を発生する制御電源部を操作回路に接続したり、操作回路から切り離したりする接点を有する第２の動作特性切換リレーとを備えて、第１及び第２の動作特性切換リレーの接点を同時にオン状態にすることにより遅延開放回路と制御電源部とを操作回路に接続して開閉器の遅延開放動作を可能にし、第１及び第２の動作特性切換リレーの接点を同時にオフ状態にして遅延開放回路及び制御電源部を操作回路から切り離すことにより、開閉器の高速遮断を可能にするように構成されている。
【先行技術文献】
【特許文献】
【００１４】
【特許文献１】特開平２−２３４３２２号公報
【特許文献２】特開２００８−１８１８４３号公報
【発明の概要】
【発明が解決しようとする課題】
【００１５】
特許文献１に示された操作装置によった場合には、自動開閉器を高速遮断させる際に、第１のリレーと第２のリレーとを協調動作させて、両リレーの接点を同時にオフ状態にする必要がある。万一第１のリレーの接点を開くタイミングが第２のリレーの接点を開くタイミングよりも遅れると、保持コイルと第１のリレーの接点とにより構成される閉回路に電流が流れるため、開閉器の開路動作が遅れ、高速遮断を実現することができなくなる。  
【００１６】
このように、特許文献１に示された操作装置では、高速遮断を行う際に、２つのリレーを正確に同時に開くように協調動作させる必要があるため、２つのリレーとして動作特性が揃ったものを用いる必要があり、一般に市販されているリレーをそのまま用いて操作装置を構成することができなかった。従って、特許文献１に示された操作装置によった場合には、操作装置のコストが高くなるのを避けられなかった。また特許文献１に示された操作装置による場合には、２つのリレーの動作特性を揃える必要があるため、リレーの品質管理が難しいという問題があった。また特許文献２に示された操作装置によった場合も、開閉器を高速遮断する際には、２つの動作特性切換リレーの接点を同時に開くように協調動作させる必要があるため、上記と同様の問題が生じるのを避けられなかった。
【００１７】
なお開閉器の高速遮断を可能にするために、主スイッチを開路させるための機構を改良することにより、遮断指令が与えられてから主スイッチが開路するまでの時間を短縮することも考えられるが、このように構成した場合には、遅延開放時間も短くなってしまうため、自動開閉器と配電系統の保護リレーとの動作の協調がとれなくなるおそれが生じる。
【００１８】
本発明の目的は、安価なリレーを使用することを可能にするとともに、短絡事故発生時に遅延開放動作を行わせる際に、遅延開放時間が短くなるのを防いで、系統の保護リレーとの動作の協調を確実に図ることができるようにした配電用自動開閉器の操作装置を提供することにある。
【課題を解決するための手段】
【００１９】
本発明は、投入コイルと該投入コイルに対して直列に接続された保持コイルとにより駆動コイルが構成された電磁石によって駆動される配電用自動開閉器を操作する操作装置を対象としたもので、本発明においては、操作電圧が入力される一対の操作電圧入力端子と、電磁石の駆動コイルと操作電圧入力端子との間に設けられて、開閉器を高速遮断させる際にオフ状態にされて操作電圧が駆動コイルに印加されるのを阻止する常閉型の高速遮断用スイッチと、保持コイルに対して並列に接続されて開閉器が開路しているときにオン状態を保持し、開閉器の投入が完了した後にオフ状態になる保持コイル短絡スイッチと、操作電圧により逆バイアスされる向きに向け、かつ高速遮断用スイッチよりも操作電圧入力端子側に位置させて操作電圧入力端子間に接続された遅延開放用ダイオードと、常開スイッチを有して、操作電圧入力端子に与えられていた操作電圧が消滅したとき及び操作電圧が与えられている状態で高速遮断用スイッチがオフ状態にされたときに常開スイッチを一定時間の間オン状態にするタイマリレーと、タイマリレーの常開スイッチに対して直列に接続された常閉スイッチを有して、駆動コイルを流れていた駆動電流が遮断されたときに該駆動コイルに誘起する電圧により駆動されて常閉スイッチをオフ状態にする保持コイル開放リレーとを設けて、タイマリレーの常開スイッチと保持コイル開放リレーの常閉スイッチとの直列回路を保持コイルに対して並列に接続した。
【００２０】
上記の操作装置において、開閉器が開路している状態で操作電圧入力端子間に操作電圧が与えられると、該操作電圧が高速遮断用スイッチを通して、電磁石を駆動する保持コイル及び投入コイルの直列回路の両端に印加される。開閉器が開路しているときには、保持コイル短絡スイッチにより保持コイルが短絡されているため、操作電圧は投入コイルの両端にのみ印加され、投入コイルを通して大きな駆動電流が流れる。これにより開閉器が投入される。開閉器の投入が完了すると、保持コイル短絡スイッチが開き、保持コイルの短絡が解除されるため、保持コイルと投入コイルとを通して制限された保持電流が流れ、開閉器が投入状態に保持される。
【００２１】
開閉器が投入されている状態で操作電圧が喪失すると、電磁石の駆動コイルには、それまで流れていた電流を流し続けようとする極性の電圧が誘起する。このときタイマリレーの常開スイッチが一定時間の間オン状態になるため、投入コイルに誘起した電圧により、投入コイル−遅延開放用ダイオード−タイマリレーの常開スイッチ−保持コイル開放リレーの常閉スイッチ−投入コイルの閉回路を保持コイルの短絡電流が流れる。また保持コイルに誘起した電圧により、保持コイル−保持コイル開放リレーの常閉スイッチ−タイマリレーの常開スイッチ−保持コイルの閉回路を電流が流れる。このように、操作電圧が喪失したときには、タイマリレーの常開スイッチがオン状態にある間に、投入コイル及び保持コイルに電流が流れるため、開閉器の開路が遅れる。操作電圧が喪失した後、一定時間が経過してタイマリレーの常開スイッチがオフ状態になると、投入コイル及び保持コイルを通して流れていた電流が消滅するため、開閉器が開路する。これらの動作により、操作電圧が喪失した際の開閉器の遅延開放動作が実現される。
【００２２】
また操作電圧入力端子間に操作電圧が与えられている状態で、高速遮断用スイッチをオフ状態にすると、開閉器を駆動する電磁石の駆動コイルに印加されていた電流が遮断され、投入コイル及び保持コイルにそれまで流れていた電流を流し続けようとする極性の電圧が誘起する。このとき、高速遮断用スイッチがオフ状態になっていることにより、遅延開放用ダイオードが駆動コイルから切り離されているため、遅延開放用ダイオードが駆動コイルに電流を流す閉回路を形成して開閉器の開路を遅延させる作用をすることはない。また高速遮断用スイッチがオフ状態にされることにより、タイマリレーが働いてその常開スイッチをオン状態にするが、高速遮断用スイッチがオフ状態にされた際に投入コイル及び保持コイルに誘起する電圧により保持コイル開放リレーが駆動されて、その常閉スイッチが瞬時にオフ状態になるため、タイマリレーの常開スイッチがオン状態になることにより保持コイルに電流を流す回路が形成されることもない。このとき投入コイル及び保持コイルに誘起する電圧により保持コイル開放リレーの駆動部を通して電流が流れるが、この電流は微小であって、開閉器を投入状態に保持するために必要な保持電流以上になることはない。従って、高速遮断用スイッチがオフ状態にされたときには、開閉器を駆動する電磁石の駆動コイルを流れる電流が瞬時に保持電流（開閉器を投入状態に保持するために必要な電流）未満になり、開閉器が開路する。これにより、高速遮断用スイッチがオフ状態にされた際の開閉器の高速遮断が実現される。
【００２３】
また上記のように、高速遮断用スイッチがオフ状態にされたときにオン状態になるタイマリレーの常開スイッチに、高速遮断用スイッチがオフ状態にされたときにオフ状態になる保持コイル開放リレーの常閉スイッチを直列に接続しておくと、開閉器を高速遮断する過程で、保持コイルを短絡する回路が形成されるのを防ぐことができるため、保持コイルを通して流れる電流により開閉器の開路が遅れるのを防いで、開閉器の高速遮断を支障なく行わせることができる。
【００２４】
上記の構成において、高速遮断を行わせる際には、タイマリレーの常開スイッチのオン動作と、保持コイル開放リレーのオフ動作とを同時に行わせるが、このときタイマリレーの常開スイッチのオン動作が行われるタイミングと、保持コイル開放リレーの常閉スイッチがオフ動作を行うタイミングとの間に多少のずれがあっても、保持コイルに電流を流さないという目的は達成できるため、タイマリレーの常開スイッチ及び保持コイル開放リレーの常閉スイッチを正確に協調動作させる必要はない。従って、これらのリレーは、特に動作特性が揃ったリレー素子を用いて構成する必要が無く、安価なリレー素子を用いて構成することができる。また両リレーの動作特性を正確に揃える必要がないため、リレーの品質管理を容易にすることができる。
【００２５】
本発明の一態様では、上記タイマリレーが、高速遮断用スイッチを通して与えられる操作電圧により放電阻止用ダイオードと限流素子とを通して充電されるように設けられたタイマコンデンサと、操作電圧が与えられなくなったときにタイマコンデンサの放電電流により励磁されて常開スイッチをオン状態にするリレーコイルとを備えている。
【００２６】
本発明の他の態様では、配電線から取り出した交流電圧を整流して得た操作電圧がプラス側及びマイナス側の操作電圧入力端子に入力される。
また開閉器を駆動する電磁石の駆動コイルの一端とプラス側の操作電圧入力端子との間及び電磁石の駆動コイルの他端とマイナス側の操作電圧入力端子との間にそれぞれ常閉型のプラス側及びマイナス側の高速遮断用スイッチが挿入されて、開閉器を高速遮断させる際にこれらのスイッチがオフ状態にされる。
この場合も、遅延開放用ダイオードは、操作電圧が逆方向に印加される向きに向け、かつ高速遮断用スイッチよりも操作電圧入力端子側に位置させて、両操作電圧入力端子間に接続される。
また、タイマリレーは、駆動コイルの一端に、アノードを該駆動コイルの一端側に向けた放電阻止用ダイオードと限流素子とを通して一端が接続され、他端が駆動コイルの他端に接続されたタイマコンデンサと、駆動コイルの一端とタイマコンデンサの一端との間に接続されてタイマコンデンサに操作電圧が印加されなくなったときに流れるタイマコンデンサの放電電流により励磁される第１のリレーコイルと、該第１のリレーコイルが励磁されているときにオン状態になる常開スイッチとを備えた構成とし、保持コイル開放リレーは、電磁石の駆動コイルの他端側にアノードを向けた逆流阻止ダイオードを通して駆動コイルの両端に並列に接続された第２のリレーコイルと、該第２のリレーコイルが励磁されているときにオフ状態になる常閉スイッチとを備えた構成として、該常閉スイッチをタイマリレーの常開スイッチに対して直列に接続する。
【００２７】
本発明で用いるタイマリレー及び保持コイル開放リレーは、有接点リレーを用いて構成してもよく、無接点リレー（ソリッドステート・リレー）を用いて構成してもよい。従って、「常閉スイッチ」及び「常開スイッチ」の「スイッチ」には、接点により構成されるスイッチと、半導体スイッチ素子により構成されるスイッチの双方が含まれる。
【発明の効果】
【００２８】
本発明によれば、操作電圧が喪失したときに、タイマリレーの常開スイッチがオン状態にある間に、投入コイル及び保持コイルを通して保持電流を流して、開閉器の開路を遅延させることができる。タイマリレーの常開スイッチをオン状態に保つ時間を十分に長くしておくことにより、操作電圧が喪失してから開閉器が開路するまでの遅延開放時間が短縮されるのを防ぐことができるため、開閉器の遅延開放時間が短くなるのを防いで、系統の保護リレーとの動作の協調を確実に図ることができる。
【００２９】
また本発明によれば、操作電圧が喪失したときに遅延開放動作を行わせるために保持コイルに対して並列に接続されて、操作電圧が喪失したときに一定時間の間オン状態になるタイマリレーの常開スイッチに対して直列に、開閉器の駆動コイルを流れていた駆動電流が遮断されたときに該駆動コイルに誘起する電圧により駆動されてオフ状態になる常閉スイッチを接続したので、開閉器を高速遮断する過程で、保持コイルを短絡する回路が形成されて、開閉器の開路が遅れるのを防ぐことができ、開閉器の高速遮断を支障なく行わせることができる。
【００３０】
また本発明で用いるタイマリレー及び保持コイル開放リレーは正確に同時に動作するように協調動作する必要はないため、これらのリレーは、特に動作特性が揃ったリレー素子を用いて構成する必要が無く、安価なリレー素子を用いて構成することができる。また両リレーの動作特性を正確に揃える必要がないため、リレーの品質管理を容易にすることができる。
【図面の簡単な説明】
【００３１】
【図１】本発明に係る操作装置の一実施形態の要部の構成を示した回路図である。
【図２】図１に示した実施形態において、操作装置が開閉器を投入する際に流れる電流の経路を示した動作説明図である。
【図３】図１に示した実施形態において、操作装置が開閉器の投入を完了した後開閉器を投入状態に保持する際に流れる電流の経路を示した動作説明図である。
【図４】図１に示した実施形態において、高速遮断用スイッチが閉じている状態で操作電圧が喪失した際に流れる電流の経路を示した動作説明図である。
【図５】図１に示した実施形態において、操作電圧が与えられている状態で高速遮断用スイッチが開いた際に流れる電流の経路を示した動作説明図である。
【図６】（Ａ）ないし（Ｆ）は、図１に示した操作装置の動作を説明するために開閉器の主スイッチやリレーのスイッチのオンオフ動作と、各部の電圧、電流波形とを示したタイムチャートである。
【図７】本発明に係る操作装置の他の実施形態の要部の構成を示した回路図である。
【発明を実施するための形態】
【００３２】
図１は、本発明に係る操作装置の一実施形態の要部の構成を示したもので、同図において１は配電用自動開閉器の開閉器本体、２は開閉器本体１に付属させて設けられた配電用自動開閉器の子局であり、開閉器本体１及び子局２内に設けられた所定の構成要素により開閉器の操作装置が構成される。
【００３３】
開閉器本体１は、配電線を複数の区間に区分する等の目的で配電線に直列に挿入される真空バルブ等からなる主スイッチ（図示せず。）と、駆動コイルＬｓを有する電磁石と、該電磁石を駆動源として主スイッチをオンオフ操作する操作機構（図示せず。）と、主スイッチのオンオフを制御するために電磁石の駆動コイルＬｓへの通電を制御する制御回路ＣＣＴと、主スイッチを手動操作する手動操作機構（図示せず。）と、これらを収容したケース１０１とにより構成されている。ケース１０１には、開閉器本体１と子局２との間を接続するケーブルの芯線３ａ、３ｂ  の一端が接続されるコネクタ１０２が取り付けられている。電磁石の駆動コイルＬｓは、インピーダンスが小さく，大きい電流を流すことができる投入コイルＣＣと、該投入コイルに対して直列に接続されたインピーダンスが高い保持コイルＨＣとからなっている。
【００３４】
子局２は、電力会社の営業所等に設けられた制御指令所に設置された親局との間で通信を行う手段（図示せず。）と、配電線からトランスを通して取り出した交流電圧を整流し、波形整形して矩形波状の操作電圧Ｖoを発生する操作電圧発生部（図示せず。）と、操作電圧Ｖoが入力されるプラス側操作電圧入力端子ｕ１及マイナス側操作電圧入力端子ｕ２と、自動開閉器の主スイッチを高速遮断する際に開かれるプラス側及びマイナス側の常閉型の高速遮断用スイッチＳＷ11及びＳＷ12と、操作電圧Ｖoにより逆バイアスされる向きに向け、かつ高速遮断用スイッチＳＷ11及びＳＷ12よりも操作電圧入力端子ｕ１，ｕ２側に位置させて、操作電圧入力端子ｕ１，ｕ２間に接続された遅延開放用ダイオードＤｄとをケース２０１内に収容したものである。子局のケース２０１には、開閉器本体１と子局２との間を接続するケーブルの芯線３ａ、３ｂの他端が接続されるコネクタ２０２が取り付けられている。高速遮断用スイッチＳＷ11及びＳＷ12は、親局から子局２に与えられる指令により制御されるリレーの接点からなっていて、親局から子局２に遮断指令が与えられたときにオフ状態にされ、親局から子局２に投入指令が与えられたときにオン状態にされる。
【００３５】
なお操作電圧入力端子ｕ１，ｕ２は、操作電圧Ｖoが印加される導体部分であればよく、端子金具（ターミナル）を備えた端子である必要はない。例えば、操作電圧を発生する整流器のプラス側出力端子及びマイナス側出力端子とプラス側及びマイナス側の高速遮断用スイッチＳＷ11及びＳＷ12との間がそれぞれプラス側及びマイナス側の配線で直結される場合には、該プラス側及びマイナス側の配線がプラス側及びマイナス側の操作電圧入力端子となる。
【００３６】
開閉器本体１内に設けられた制御回路ＣＣＴは、保持コイルＨＣに対して並列に接続されて開閉器が開路しているときに（開閉器の主スイッチが開路しているときに）オン状態を保持し、開閉器の投入が完了した後に（開閉器の主スイッチの投入が完了した後に）オフ状態になる保持コイル短絡スイッチＳＷｂと、常開スイッチＲy1a を有して、操作電圧入力端子ｕ１，ｕ２に与えられていた操作電圧Ｖoが消滅したとき及び操作電圧Ｖoが与えられている状態で高速遮断用スイッチＳＷ11及びＳＷ12がオフ状態にされたときに常開スイッチＲy1aを一定時間の間オン状態にするタイマリレーＴＲと、タイマリレーＴＲの常開スイッチＲy1aに対して直列に接続された常閉スイッチＲy2bを有して、駆動コイルＬｓを流れていた駆動電流が遮断されたときに該駆動コイルに誘起する電圧により駆動されて常閉スイッチをオフ状態にする保持コイル開放リレーＲy2とを備えていて、タイマリレーＴＲの常開スイッチＲy1aと保持コイル開放リレーＲy2の常閉スイッチＲy2bとの直列回路が保持コイルＨＣに対して並列に接続されている。
【００３７】
本実施形態では、駆動コイルＬｓの保持コイルＨＣ側の端部Ｌs1を駆動コイルＬｓの一端とし、駆動コイルＬｓの投入コイルＣＣ側の端部Ｌs2を駆動コイルＬｓの他端とする。図示の例では、電磁石の駆動コイルＬｓの一端Ｌs1が、コネクタ１０２と芯線３ａとコネクタ２０２とプラス側高速遮断用スイッチＳＷ11とを通してプラス側操作電圧入力端子ｕ1に接続され、電磁石の駆動コイルＬｓの他端Ｌs2が、コネクタ１０２と芯線３ｂとコネクタ２０２とマイナス側高速遮断用スイッチＳＷ12とを通してマイナス側操作電圧入力端子ｕ2に接続されている。
【００３８】
本実施形態において、保持コイル短絡スイッチＳＷｂは、開閉器を投入する際に駆動コイルＬｓの両端に操作電圧Ｖoを印加した際に、保持コイルＨＣを短絡して、投入コイルＣＣのみを通して駆動電流を流すために設けられている。本実施形態で用いている保持コイル短絡スイッチＳＷｂは、開閉器の主スイッチと連動するように設けられていて、主スイッチが開路しているときにオン状態を保持し、主スイッチの投入が完了している状態にあるときにオフ状態を保持するようになっている。
【００３９】
図示の例では、投入コイルＣＣ及び保持コイルＨＣに流れていた電流が遮断されたときにこれらのコイルに誘起する電圧が過大になるのを防ぐために、投入コイルＣＣの両端及び保持コイルＨＣの両端にそれぞれ並列に過電圧保護素子であるバリスタＶＲ１及びＶＲ２が接続されている。投入コイルＣＣ及び保持コイルＨＣに誘起する電圧が印加される素子を保護するために、図示のようにバリスタＶＲ１及びＶＲ２を設けることが好ましいが、投入コイルＣＣ及び保持コイルＨＣに誘起する電圧が印加される素子の耐電圧が十分に高い場合には、これらのバリスタは省略することもできる。
【００４０】
図示のタイマリレーＴＲは、高速遮断用スイッチＳＷ11．ＳＷ12を通して与えられる操作電圧Ｖoにより放電阻止用ダイオードＤ１と限流素子Ｒ１を通して充電されるように設けられたタイマコンデンサＣ１と、操作電圧Ｖoが与えられなくなったときにタイマコンデンサＣ１の放電電流により励磁されて常開接点をオン状態にする第１のリレーＲy1とを備えており、第１のリレーＲy1のリレーコイル１０３が駆動コイルＬｓの一端とタイマコンデンサＣ１の一端との間に接続されている。第１のリレーＲy1の常開接点が常開スイッチＲy1aを構成している。
【００４１】
図示の例では、タイマ回路ＴＲのダイオードＤ１のアノードがコネクタ１０２と、該コネクタに接続されたケーブルの芯線３ａと、該芯線に接続されたコネクタ２０２と、プラス側高速遮断用スイッチＳＷ11とを通してプラス側操作電圧入力端子ｕ１に接続されるとともに、保持コイルＨＣと投入コイルＣＣの直列回路からなる電磁石の駆動コイルＬｓの一端Ｌs1に接続されている。ダイオードＤ１のカソードは、限流素子としての抵抗器Ｒ１を通して、タイマコンデンサＣ１の一端に接続され、タイマコンデンサＣ１の他端は、コネクタ１０２と、該コネクタに接続されたケーブルの他の芯線３ｂと、該芯線に接続されたコネクタ２０２とマイナス側高速遮断用スイッチＳＷ12とを通してマイナス側操作電圧入力端子ｕ２に接続されるとともに、電磁石の駆動コイルＬｓの他端Ｌs2に接続されている。
【００４２】
高速遮断用スイッチＳＷ11及びＳＷ12がオンの状態で操作電圧入力端子ｕ１，ｕ２間に操作電圧Ｖｏが印加されると、操作電圧Ｖo がダイオードＤ１と抵抗器Ｒ１とを通してタイマコンデンサＣ１に印加されるため、タイマコンデンサＣ１が操作電圧Ｖoまで充電される。操作電圧入力端子ｕ１，ｕ２間に操作電圧Ｖｏが印加されたときに第１のリレーＲy1のリレーコイル１０３に電圧が印加されるが、このときリレーコイル１０３に電流が流れないように、抵抗器Ｒ１の抵抗値が十分に小さく設定されている。操作電圧入力端子間に操作電圧が印加され、高速遮断用スイッチＳＷ11,ＳＷ12がオン状態にあってタイマコンデンサＣ１の充電が完了している状態では、リレーコイル１０３を通してタイマコンデンサＣ１に充電電流が流れることはなく、またタイマコンデンサＣ１がリレーコイル１０３を通して放電することもない。従って、リレーコイル１０３は励磁されることがなく、常開スイッチＲy1aは閉じることがない。
【００４３】
操作電圧Ｖoが喪失するか、または高速遮断用スイッチＳＷ11,ＳＷ12がオフ状態にされて、タイマ回路ＴＲに印加されていた操作電圧が喪失すると、タイマコンデンサＣ１に蓄積されていた電荷がリレーコイル１０３と保持コイルＨＣと投入コイルＣＣとを通して放電するため、リレーコイル１０３が励磁されて常開スイッチＲy1aがオン状態になる。保持コイルＨＣのインピーダンスが高いため、タイマコンデンサＣ１の放電は時間をかけて行われる。リレーコイル１０３に流れている電流がしきい値以上である間、常開スイッチＲy1aがオン状態を保持し、リレーコイル１０３に流れている電流がしきい値未満になると常開スイッチＲy1aがオフ状態になる。従って常開スイッチＲy1aは、操作電圧Ｖoが喪失するか、または高速遮断用スイッチＳＷ11,ＳＷ12がオフ状態にされた後、一定の時間の間だけオン状態を保持する。
【００４４】
本実施形態では、保持コイル開放リレーＲy2も有接点リレーからなっていて、その励磁コイル１０４が駆動コイルＬｓの両端に、アノードを駆動コイルＬｓの他端Ｌs2側に向けたダイオードＤ2を通して並列に接続されている。
【００４５】
操作電圧Ｖoが喪失するか、または高速遮断用スイッチＳＷ11、ＳＷ12がオフ状態にされると、駆動コイルＬｓを流れていた電流が遮断されるため、駆動コイルＬｓの両端にそれまで流れていた電流を流し続けようとする極性の電圧が誘起し、この誘起電圧によりダイオードＤ２を通してリレーコイル１０４に励磁電流が流れる。この励磁電流がしきい値レベル以上である間常閉スイッチＲy2bがオフ態を保持する。開閉器が投入されていて、保持コイル短絡スイッチＳＷｂがオフ状態にあり、かつ保持コイル開放リレーＲy2の常閉スイッチＲy2bがオフ状態にあるときには、常閉スイッチＲy1aがオン状態にあっても、保持コイルＨＣが短絡されることはなく、保持コイルＨＣは短絡から開放された状態に保持される。
【００４６】
以下、図２乃至図６を参照して図１に示した操作装置の動作を説明する。図６は本実施形態の操作装置の動作を説明するために、開閉器の主スイッチやリレーのスイッチのオンオフ動作と、各部の電圧及び電流波形とを示したタイムチャートで、同図（Ａ）は本実施形態の操作装置により操作される開閉器の主スイッチＳＷmのオンオフ動作を示し、（Ｂ）は電磁石の駆動コイルＬｓを流れる駆動電流Ｉの波形を示している。また図６（Ｃ）は操作電圧Ｖo の波形を示し、同図（Ｄ）はタイマコンデンサの両端の電圧Ｖｃの波形を示している。また図６（Ｅ）は常開スイッチＲy1aのオンオフ動作を示し、同図（Ｆ）は保持コイル開放リレーＲy2の常閉スイッチＲy2bのオンオフ動作を示している。
【００４７】
図１に示した操作装置において、開閉器が開路している（図示しない主スイッチが開路している）状態で図６に示した時刻ｔ1で配電線の電圧が回復し、操作電圧入力端子ｕ１，ｕ２間に操作電圧Ｖo（図６Ｃ）が与えられると、図２に示したように、操作電圧Ｖoが高速遮断用スイッチＳＷ11,ＳＷ12を通して、投入コイルＣＣと保持コイルＨＣとからなる電磁石の駆動コイルＬｓの両端に印加される。開閉器が開路しているときには、オン状態にある保持コイル短絡スイッチＳＷｂにより保持コイルＨＣが短絡されていて、操作電圧は投入コイルＣＣの両端にのみ印加されるため、投入コイルＣＣを通して大きな投入電流Ｉsc（図６Ｂ）が駆動電流Ｉとして流れ、開閉器が投入される。
【００４８】
時刻ｔ1で操作電圧Ｖo が与えられると、ダイオードＤ１と抵抗器Ｒ１とタイマコンデンサＣ１とを通して充電電流Ｉｃが流れてタイマコンデンサＣ１が充電されるため、タイマコンデンサＣ１の両端の電圧Ｖｃが図６（Ｄ）に示すように操作電圧Ｖoまで上昇する。
【００４９】
開閉器の投入が完了し、投入時間Ｔonが経過して時刻ｔ2になると、図３に示したように保持コイル短絡スイッチＳＷｂが開き、保持コイルＨＣの短絡が解除されるため、保持コイルＨＣと投入コイルＣＣとを通して制限された保持電流Ｉsh（図６Ｂ）が駆動電流Ｉとして流れるようになり、開閉器が投入状態に保持される。
【００５０】
開閉器が投入されている状態で配電系統に短絡事故が発生し、時刻ｔ3で配電線の電圧が喪失して操作電圧Ｖoが喪失すると、図４に示したようにタイマコンデンサＣ１の電荷がリレーコイル１０３と保持コイルＨＣと投入コイルＣＣとを通して放電して、リレーコイル１０３に電流Ｉ１が流れるため、図６（Ｅ）に示すように常開スイッチＲy1aがオン状態になる。また操作電圧Ｖoが喪失した際に、電磁石の駆動コイルＬｓには、それまで流れていた電流を流し続けようとする極性の電圧が誘起する。このときタイマリレーＴＲの常開スイッチＲy1aがオン状態になっているため、投入コイルＣＣに誘起した電圧により、投入コイルＣＣ−遅延開放用ダイオードＤｄ−タイマリレーの常開スイッチＲy1a−保持コイル開放リレーの常閉スイッチＲy2b−投入コイルＣＣの閉回路を電流が流れる。また保持コイルＨＣに誘起した電圧により、保持コイルＨＣ−保持コイル開放リレーの常閉スイッチＲy2b−タイマリレーの常開スイッチＲy1a−保持コイルＨＣの閉回路を電流が流れる。
【００５１】
このように、系統で短絡事故が発生し、操作電圧が喪失したときには、操作電圧が喪失した後も投入コイル及び保持コイルを通して保持電流Ｉshが流れるため開閉器が投入状態に保持される。時刻ｔ3で操作電圧が喪失した後、一定の遅延開放時間Ｔｄが経過して上記保持電流が開閉器を投入状態に保持するために必要な値未満になると開閉器が開路する。従って、系統で短絡事故が発生し、操作電圧が喪失したときには、操作電圧が喪失した後、一定の遅延開放時間Ｔｄが経過するまで自動開閉器の開路が遅れる。これらの動作により、操作電圧が喪失した際の開閉器の遅延開放動作が実現される。
【００５２】
操作電圧が喪失した時点から開閉器の主スイッチが開路するまでの時間（遅延開放時間）Ｔｄは、系統で短絡事故が発生した後保護リレーが働いて変電所の遮断器が開くまでの時間よりも長く設定しておく。従って、本実施形態の操作装置により操作される自動開閉器は、系統で短絡事故が発生したときに、系統の保護リレーが働いて変電所の遮断器が開かれるまでの間投入状態に保持される。操作電圧が喪失した後遅延開放時間Ｔｄが経過すると、図６（Ａ）に示すように開閉器の主スイッチＳＷｍが開路するが、このとき系統に流れていた短絡電流は遮断されているため、開閉器の主スイッチが短絡電流を遮断することはなく、該主スイッチの接点が損傷することはない。
【００５３】
本実施形態において、タイマコンデンサＣ１の放電は、インピーダンスが大きい保持コイルを通して行われるため、遅延開放用スイッチＲy1aがオン状態を保持する時間を十分に長くすることができる。従って、遅延開放時間Ｔｄが短縮されるのを防ぐことができ、配電用自動開閉器の遅延開放動作と、系統の保護リレーの保護動作との協調がとれなくなる事態が生じるのを確実に防ぐことができる。
【００５４】
系統で短絡事故が発生した後、時刻ｔ5で系統電圧が回復すると、操作電圧Ｖoが与えられるため、投入コイルＣＣに投入電流Ｉscが流れ、開閉器が投入される。時刻ｔ5で操作電圧Ｖo が与えられた後、投入時間Ｔonが経過した時刻ｔ6になると、保持コイル短絡スイッチＳＷｂがオフ状態になるため、操作電圧が保持コイルＨＣと投入コイルＣＣの直列回路の両端に印加されるようになり、電磁石の駆動コイルに流れる駆動電流Ｉは保持電流Ｉshまで低下する。また時刻ｔ5で操作電圧Ｖo が与えられたときにタイマコンデンサＣ１が充電され、その両端の電圧Ｖｃが操作電圧Ｖo まで上昇する。
【００５５】
また系統で地絡事故が発生したときに、操作電圧入力端子ｕ１，ｕ２間に操作電圧が与えられている状態で、親局から与えられる指令により，時刻ｔ７で高速遮断用スイッチＳＷ11，ＳＷ12がオフ状態にされると、開閉器を駆動する電磁石の駆動コイルＬｓに印加されていた電流が遮断され、投入コイルＣＣ及び保持コイルＨＣにそれまで流れていた電流を流し続けようとする極性の電圧が誘起する。このとき、高速遮断用スイッチＳＷ11，ＳＷ12がオフ状態であることにより、遅延開放用ダイオードＤｄは駆動コイルＬｓから切り離されているため、遅延開放用ダイオードＤｄが駆動コイルＬｓに電流を流す閉回路を形成することはなく、遅延開放用ダイオードＤｄが開閉器の開路動作を遅らせることはない。
【００５６】
ここで、図１に示した操作装置において、保持コイル開放用スイッチＲy2bが設けられていないとすると、操作電圧が与えられている状態で高速遮断用スイッチＳＷ11，ＳＷ12がオフ状態にされたときに、タイマ回路ＴＲに印加されていた操作電圧が喪失することにより、タイマコンデンサＣ１が放電して常開スイッチＲy1aがオン状態になるため、保持コイルＨＣが常開スイッチＲy1aにより短絡される。このように高速遮断用スイッチＳＷ11，ＳＷ12がオフ状態にされたときに保持コイルＨＣを短絡する回路が形成されると、高速遮断用スイッチＳＷ11，ＳＷ12がオフ状態にされて駆動コイルを流れていた駆動電流が遮断された際に保持コイルＨＣに誘起した電圧により保持コイルに電流が流れて保持電流Ｉshがしきい値以下になるのが遅れるため、開閉器の開路が遅れ、高速遮断を速やかに行うことができない。
【００５７】
これに対し、本実施形態のように、時刻ｔ7で高速遮断用スイッチＳＷ11，ＳＷ12がオフ状態にされた際に駆動コイルＬｓに誘起する電圧で駆動される保持コイル開放リレーＲy2を設けて、その常閉スイッチＲy2bをタイマリレーの常開スイッチＲy1aに対して直列に接続しておくと、図６（Ｆ）に示すように、時刻ｔ7で高速遮断用スイッチＳＷ11，ＳＷ12がオフ状態にされた際に、図５に示すように、保持コイル開放リレーの常閉スイッチＲy2bをオフ状態にして、保持コイルＨＣを短絡する回路が形成されるのを阻止することができる。
【００５８】
高速遮断用スイッチＳＷ11，ＳＷ12がオフ状態にされたときに投入コイルＣＣ及び保持コイルＨＣに誘起する電圧で保持コイル開放リレーＲy2を駆動する際に、該保持コイル開放リレーＲy2の駆動部（本実施形態ではリレーコイル１０４）を通して保持コイルＨＣに電流が流れるが、保持コイルＨＣのインピーダンスが高いため、この電流は微小であり、この電流が開閉器を投入状態に保持するために必要な保持電流以上になることはない。従って、高速遮断用スイッチがオフ状態にされたときには、開閉器を駆動する電磁石の駆動コイルＬｓを流れる電流が短い時間で保持電流（開閉器を投入状態に保持するために必要な電流）未満になり、開閉器は瞬時に開路する。これにより、高速遮断用スイッチがオフ状態にされた際の開閉器の高速遮断が実現される。
【００５９】
上記のように、高速遮断用スイッチがオフ状態にされたときにオン状態になるタイマリレーＴＲの常開スイッチＲy1aに、高速遮断用スイッチがオフ状態にされたときにオフ状態になる保持コイル開放リレーＲy2の常閉スイッチＲy2bを直列に接続しておくと、開閉器を高速遮断する過程で、保持コイルＨＣを短絡する回路が形成されるのを防ぐことができるため、保持コイルＨＣを通して流れる短絡電流により開閉器の開路が遅れるのを防いで、時刻ｔ７で高速遮断用スイッチがオフ状態にされた後、開閉器が開路するまでの時間（高速開放時間）Ｔｑを短くすることができ、開閉器の高速遮断を支障なく行わせることができる。
【００６０】
上記の実施形態において、開閉器の高速遮断を行わせる際には、タイマリレーＴＲの常開スイッチＲy1aのオン動作と、保持コイル開放リレーＲy2の常閉スイッチＲy2bのオフ動作とを行わせるが、このときタイマリレーの常開スイッチＲy1aのオン動作が行われるタイミングと、保持コイル開放リレーの常閉スイッチＲy2bがオフ動作を行うタイミングとの間に多少のずれがあっても、保持コイルＨＣに電流を流さないという目的は達成できるため、タイマリレーの常開スイッチ及び保持コイル開放リレーの常閉スイッチを正確に協調動作させる必要はない。従って、これらのリレーは、特に動作特性が揃ったリレー素子を用いて構成する必要が無く、安価なリレー素子を用いて構成することができる。また両リレーの動作特性を正確に揃える必要がないため、リレーの品質管理を容易にすることができる。
【００６１】
本実施形態において、タイマリレーＴＲの常開スイッチＲy1aを駆動するリレーコイル１０３及び保持コイル開放リレーＲy2の常閉スイッチＲy2bを駆動するリレーコイル１０４は、開閉器を開路させる際に短時間の間励磁されるだけであり、通常は非励磁状態に保持されるため、タイマリレー及び保持コイル開放リレーの寿命を長くすることができる。タイマリレーを構成するリレー素子及び保持コイル開放リレーを構成するリレー素子として無接点リレーを用いる場合も、両リレーが駆動されるのは開閉器の開路時のみであるため、両リレーの寿命を長くすることができる。
【００６２】
上記の実施形態では、操作電圧が与えられなくなったときにタイマコンデンサＣ１をリレーＲy1のコイル１０３と電磁石の駆動コイルＬｓを通して放電させるようにしたが、本発明はこのように構成する場合に限定されない。例えば、図７に示すように、駆動コイルＬｓの一端とダイオードＤ１のアノードとの間に逆流阻止ダイオードＤ４を挿入するとともに、リレーコイル１０３とタイマコンデンサＣ１との直列回路に対して並列に放電用抵抗器Ｒ２を接続して、操作電圧が与えられなくなったときにタイマコンデンサＣ１をリレーコイル（リレーの駆動部）１０３と放電用抵抗器Ｒ２とを通して放電させることにより、常開スイッチＲy1aを一定時間の間オン状態に保持するようにしてもよい。
【００６３】
上記の実施形態では、タイマリレーＴＲをタイマコンデンサを充電する回路と、タイマコンデンサの放電電流により駆動されるリレーＲy1とにより構成したが、タイマリレーＴＲとして、時限回路と該時限回路が時限動作を行っている間オン状態を保持する常開スイッチとを内蔵してユニット化した市販のタイマを用いて、操作電圧が喪失したときに該タイマに駆動信号を与えて時限動作を行わせることにより、タイマに設けられた常開スイッチを一定時間の間オン状態にするようにてもよい。
【００６４】
上記の実施形態では、保持コイル短絡スイッチＳＷｂを開閉器の主スイッチと連動させて動作させるようにしたが、保持コイル短絡スイッチＳＷｂは開閉器を投入する際に一定時間（投入時間）Ｔonの間オン状態を保持した後、オフ状態になるように設けられたリレーの常開スイッチ（開閉器を投入する際に短時間だけ駆動されるスイッチ）であってもよい。
【００６５】
上記の実施形態では、自動開閉器の主スイッチを高速遮断する際に開かれる高速遮断用スイッチとして、プラス側及びマイナス側の高速遮断用スイッチＳＷ11及びＳＷ12を設けたが、これらの一方を省略することもできる。例えば、高速遮断用スイッチとしてスイッチＳＷ11のみを設けて、マイナス側操作電圧入力端子ｕ2をコネクタ２０２の芯線３ｂにつながる端子に直接接続するようにしても良い。
【符号の説明】
【００６６】
１  開閉器本体
１０１  ケース
１０２  コネクタ
１０３  リレーコイル
１０４  リレーコイル
ＳＷｂ  保持コイル短絡スイッチ
Ｌｓ  電磁石の駆動コイル
ＨＣ  保持コイル
ＣＣ  投入コイル
Ｄ１  放電阻止ダイオード
Ｄ２  逆流阻止ダイオード
ＴＲ  タイマリレー
Ｒy1a  タイマリレーの常開スイッチ
Ｒy2b  保持コイル開放リレーの常閉スイッチ
Ｒ１  抵抗器
Ｒ２  放電用抵抗器
２  子局
２０１  ケース
２０２  コネクタ
ＳＷ11，ＳＷ12  高速遮断用スイッチ
Ｄd  遅延開放用ダイオード
ｕ1，ｕ2    操作電圧入力端子
【図１】
2015170429.tif 000003
【図２】
2015170429.tif 000004
【図３】
2015170429.tif 000005
【図４】
2015170429.tif 000006
【図５】
2015170429.tif 000007
【図６】
2015170429.tif 000008
【図７】
2015170429.tif 000009